(57)【要約】【課題】運動時における装着安定性および装着利便性を向上させる腕時計用バンドを提供する。【解決手段】本考案の腕時計用バンドは、本体１および少なくとも一つの連接部２を有する。本体１は、相対する第１の端部１１および第２の端部１２を有する。少なくとも一つの連接部２は、本体の第１の端部１１または第２の端部１２に設けられ、磁性で結合する第1の連接部２１および第２の連接部２２を有する。少なくとも一つの連接部２がケース４の取付部４１に磁性で連接されているため、腕時計用バンドを着用して運動しても外れづらく、着脱も素早く行なうことができる。【選択図】図１
0003234948.tif 000002
【実用新案登録請求の範囲】
【請求項１】
相対する第１の端部および第２の端部を有する本体と、
前記本体の前記第１の端部または前記第２の端部に設けられ、磁性で連接する第１の連接部および第２の連接部を有する少なくとも一つの連接部と、を備えることを特徴とする腕時計用バンド。
【請求項２】
前記第１の連接部および前記第２の連接部は、凹凸の組み合わせまたは凸凹の組み合わせであることを特徴とする請求項１に記載の腕時計用バンド。
【請求項３】
前記第１の連接部および前記第２の連接部は、フックおよび嵌合溝の組み合わせであることを特徴とする請求項１に記載の腕時計用バンド。
【請求項４】
前記第１の連接部および前記第２の連接部は、嵌合凸部および嵌合凹部を有する相互に嵌合する嵌合構造を設けることを特徴とする請求項１に記載の腕時計用バンド。
【請求項５】
前記第１の連接部および前記第２の連接部は、磁石および金属、または磁石同士の対応構造であることを特徴とする請求項１に記載の腕時計用バンド。
【考案の詳細な説明】
【技術分野】
【０００１】
本考案は、腕時計用バンドに関し、特に、運動時における装着安定性および装着利便性を向上させる腕時計用バンドに関する。
【背景技術】
【０００２】
腕時計用バンドは、腕時計本体の取付部と係止ピン（バネ棒）とが連結しているため、取り外し可能な部品である。
従来の腕時計用バンドとしては、次のような構成のものが知られている。例えば、腕時計用バンドは、６時側にアジャスト穴が設けられ、１２時側が、ケースに隣接した長辺部と、ケースから離れた先端と、両者に連接するバックル部からなる。
バックルには６時側に挿入する挿入口が設けられている。先端に６時側のアジャスト穴を貫通するピンが固定されている。
【０００３】
従来の腕時計用バンドは、６時側のアジャスト穴を貫通するピンにより固定されるが、日常生活においては外れることがなくても、激しい運動時においては腕から外れやすいという短所があった。
【先行技術文献】
【特許文献】
【０００４】
【特許文献１】中国実用新案第ＣＮ２３５３２０１Ｙ号公報
【考案の概要】
【考案が解決しようとする課題】
【０００５】
本考案の目的は、激しい運動時においても腕から外れない腕時計用バンドを提供することにある。
【０００６】
上述の目的を達成するため、本考案の腕時計用バンドの本体は、少なくとも一つの連接部を有し、本体は相対する第１の端部および第２の端部を有し、少なくとも一つの連接部は、本体の第１の端部または第２の端部に設けられ、磁性で結合する第1の連接部および第２の連接部を有する。
【０００７】
第１の連接部および第２の連接部は、凹凸の組み合わせまたは凸凹の組み合わせである。
【０００８】
第１の連接部および第２の連接部は、フックおよび嵌合溝の組み合わせである。
【０００９】
第１の連接部および第２の連接部は、嵌合凸部および嵌合凹部を有する相互に嵌合する嵌合構造を設ける。
【００１０】
第１の連接部および第２の連接部は、磁石および金属、または磁石同士の対応構造である。
【考案の効果】
【００１１】
本考案の腕時計用バンドは、少なくとも一つの連接部がケースの取付部に磁性で連接されているため、腕時計用バンドを着用して運動しても外れづらく、着脱も素早く行なうことができる。また、第１の連接部および第２の連接部は、凹凸の組み合わせでも、凸凹の組み合わせでも、フックおよび嵌合溝の組み合わせでもよい。第１の連接部と第２の連接部との間に相互に嵌合する嵌合構造をさらに設けて、腕時計用バンドを腕にしっかり固定することができる。
【図面の簡単な説明】
【００１２】
【図１】本考案の一実施形態による腕時計用バンドを示す断面図である。
【図２】本考案の腕時計用バンドの連接部の凹凸対応構造を示す断面図である。
【図３】本考案の腕時計用バンドの連接部の凸凹対応構造を示す断面図である。
【図４】本考案の腕時計用バンドの連接部のフックおよび嵌合溝構造を示す断面図である。
【図５】本考案の腕時計用バンドの本体が二つのバンドからなることを示す断面図である。
【考案を実施するための形態】
【００１３】
以下、本考案の実施形態を図面に基づいて説明する。
【００１４】
図１を参照して説明する。図１は、本考案の一実施形態による腕時計用バンドを示す断面図である。図１に示すように、本考案の腕時計用バンドは、本体１および少なくとも一つの連接部２を有する。
【００１５】
本体１は、相対する第1の端部１１および第２の端部１２を有する。本体１は、少なくとも一つのバンドである。少なくとも一つのバンドは、例えば、第１のバンド１３でもよいし、第１のバンド１３および第２のバンド１４（図５参照）でもよい。少なくとも一つのバンドは、例えば、皮革、帆布、ナイロン、プラスチック、またはゴムの可撓性を有する材料からなる。少なくとも一つのバンドは、少なくとも一つのバンドの余った部分に対して移動して定位を行う可動ループ１５を有する。可動ループ１５は、少なくとも一つのバンドの末端まで移動させることにより少なくとも一つのバンドの末端が不必要に動いてしまうことを防ぐことができる。また、少なくとも一つのバンドは、面ファスナまたは何度も使える粘着テープの貼り合わせ構造１６であってもよい。
【００１６】
少なくとも一つの連接部２は、本体１の第１の端部１１または第２の端部１２に設けられる。連接部２は、第1の端部１１または第２の端部１２のどちらに設けられてもよいし、第１の端部１１および第２の端部１２の両方にそれぞれ設けてもよい。少なくとも一つの連接部２は、磁性で連接する第１の連接部２１および第２の連接部２２を有する。本考案の好適な実施形態において、第１の連接部２１および第２の連接部２２は、磁石および金属でもよいし、磁石同士の対応構造でもよい。
【００１７】
図１〜５を参照する。図２は、本考案の腕時計用バンドの連接部の凹凸対応構造を示す断面図である。図３は、本考案の腕時計用バンドの連接部の凸凹対応構造を示す断面図である。図４は、本考案の腕時計用バンドの連接部のフックおよび嵌合溝の嵌合構造を示す断面図である。図５は、本考案の腕時計用バンドの本体が二つのバンドからなることを示す断面図である。
図１〜５に示すように、第１の連接部２１および第２の連接部２２は、凹凸の組み合わせでも、凸凹の組み合わせでもよい。例えば、凹孔および凸部の組み合わせでも、その他の形状であってもよい。第１の連接部２１の凹凸の組み合わせ、または凸凹の組み合わせの構造は、図１において上に凸で下に凹であり、図２において中央が凸出し、図３において中央が凹んでいる。第２の連接部２２は、図１において上に凹で下に凸であり、図２において中央が凹み、図３において中央が凸出している。
図４に示すように、第１の連接部２１および第２の連接部２２は、フックおよび嵌合溝の組み合わせでもよい。第１の連接部２１と第２の連接部２２との連接をさらに強化するため、第1の連接部２１と第２の連接部２２との間に相互に嵌合する嵌合構造２３（図１参照）をさらに設けることができる。嵌合構造２３は、嵌合凸部および嵌合凹部を有する。
【００１８】
図１に示すように、少なくとも一つの連接部２は、数量が一つの場合、例えば、連接部２を本体１の第１の端部１１に設けることができる。また、本体１の第２の端部１２には穿孔を有する係合部３を設けることができる。好適な実施形態では、係合部３は、縫製により形成され、例えば、第２の端部１２で折り返してミシン縫いで穿孔を有するように丸く係合部３を固定させる。
【００１９】
本考案の腕時計用バンドが実際の使用上において、連接部２および係合部３は、ケース４の取付部４１上に設けられる。連接部２の第２の連接部２２には穿孔が設けられ、係止ピン４２により第２の連接部２２を取付部４１上に固定する。
また、係合部３の穿孔も係止ピン４２によりもう1つの取付部４１上に固定される。可動ループ１５は、少なくとも一つのバンドの末端まで移動させることにより末端が不必要に動いてしまうことを防ぐことができるが、ループ１６１とフック１６２とを貼り合わせる貼り合わせ構造１６を用いることにより腕時計用バンドを腕に固定することができる。
【００２０】
上記のように、本考案の腕時計用バンドは、少なくとも一つの連接部２がケース４の取付部４１に磁性で連接されているため、腕時計用バンドを着用して運動しても外れづらく、着脱も素早く行える。また、第１の連接部２１および第２の連接部２２は、凹凸の組み合わせでも、凸凹の組み合わせでも、フックおよび嵌合溝の組み合わせでもよい。第１の連接部２１と第２の連接部２２との間に相互に嵌合する嵌合構造２３をさらに設けて、腕時計用バンドを腕にしっかり固定することができる。
【００２１】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案請求の範囲で指定した内容を基準とする。
【符号の説明】
【００２２】
１  本体
２  連接部
３  係合部
４  ケース
１１  第１の端部
１２  第２の端部
１３  第１のバンド
１４  第２のバンド
１５  可動ループ
１６  貼り合わせ構造
２１  第１の連接部
２２  第２の連接部
２３  嵌合構造
４１  取付部
４２  係止ピン
１６１  ループ
１６２  フック
【図１】
0003234948.tif 000003
【図２】
0003234948.tif 000004
【図３】
0003234948.tif 000005
【図４】
0003234948.tif 000006
【図５】
0003234948.tif 000007